(57)【要約】【課題】光源側に配置される保持部材を改良して透過光による光斑の発生を抑え、美観を得ることができる内部照明型表示装置における表示シートの保持構造を提供する。【解決手段】光透過型の表示シートの裏面側から光を受けて、その透過光により表示シートに描かれた図柄を明示する内部照明型表示装置１において、光源４と表示シート（ポスター５）との間に配置されて、光透過性材で前面を円弧面１１に形成された管状の保持部材１０によって、その円弧面１１の頂部を緊張された前記ポスター５の裏面に当接させて保持するようにされる。【選択図】図１
2007047482.tif 000002
【特許請求の範囲】
【請求項１】
光透過型の表示シートの裏面側から光を受けて、その透過光により表示シートに描かれた図柄を明示する内部照明型表示装置において、
光源と表示シートとの間に配置されて、光透過性材で前面を円弧面に形成された保持部材によって、その円弧面の頂部を緊張された前記表示シートの裏面に当接させて保持するようにされていることを特徴とする内部照明型表示装置における表示シートの保持構造。
【請求項２】
前記保持部材は、円弧の両端を直線で繋ぐ断面形状の管状構造に形成されていることを特徴とする請求項１に記載の内部照明型表示装置における表示シートの保持構造。
【請求項３】
前記保持部材は、円弧の両端を直線で繋ぐ断面形状の管状構造のものを複数密接状態で同一面上に並べて配置されている請求項１に記載の内部照明型表示装置における表示シートの保持構造。
【請求項４】
光透過型の表示シートの裏面側から光を受けて、その透過光により表示シートに描かれた図柄を明示する内部照明型表示装置において、
光源と表示シートとの間に、光透過性材で前面を円弧面に形成された管状の保持部材を複数所要ピッチで配置して、それら管状の保持部材間に、両端部を円弧状に彎曲させた中間保持部材を配し、その中間保持部材の両端を前記管状の保持部材の背後に繋ぎ、前記管状の保持部材と中間保持部材とを表示シートの裏面に当接させて緊張保持するように構成されていることを特徴とする内部照明型表示装置における表示シートの保持構造。
【発明の詳細な説明】
【技術分野】
【０００１】
本発明は、光透過型のポスターなど表示シートを照明装置に組込んで表示する大型の内部照明型表示装置において、表示シートを明示して支持することができる内部照明型表示装置における表示シートの保持構造に関するものである。
【背景技術】
【０００２】
光透過型のシートに所要の図柄や文字でデザインされたポスターを使用する内部照明型表示装置は、通常のポスターによる表示と異なり、ポスターの背後から光を当ててポスターを鮮明に表示できることから、視認者に与える表示効果が大きいので、近時多く利用されつつある。
【０００３】
この内部照明型表示装置は、光透過型のポスター（表示シート）を表裏両面から光を透過する板材で挟み付けて平らに保持し、光源を備えた保持フレームにより支持して建物などの壁面に取付けて表示するように構成されている。
【０００４】
ところで、印刷技術の発展によって大型のポスターが製作できることから表示装置も大型のものが要求されるようになってきた。ポスターは製作上薄いシートで形成されることから平面的に、かつ安定して表示装置の光源の前方に配置する必要がある。そのために、ポスターは前述のように表裏両面から光透過性の板材（保持板材）で挟み付けることになる。この場合、前記保持板材はポスターのサイズが大きくなると一枚のもので賄えないので、複数枚の保持板材を使用して保持フレームに装着するようにされている。
【発明の開示】
【発明が解決しようとする課題】
【０００５】
しかしながら、前述のように大型の内部照明型表示装置では、その幅寸法または高さ寸法が２．５ｍを超える大型のものになると、保持板材が一枚もので賄えなくなり、二枚以上を使用することになる。この理由は、光透過性の保持板材として、アクリル樹脂板、ポリカーボネート樹脂板などのプラスチック板を使用するので、通常市販の材料では０．９×１．８ｍまたは１．２×２．４ｍの定尺板となり、寸法的にそれ以上のものが入手できないということにある。もっとも、前記以上の寸法の板材を入手するには特別に製作する必要があって、価格的に高価になるという問題点がある。
【０００６】
そのために、大型の表示装置となる場合、複数枚の保持板材を用いると次のような問題点が発生する。図８には、従来の大型内部照明型表示装置における問題点を表わす模式図が示されている。この図８で示されるように、光透過性ポスター５０（以下、単に「ポスター」という。）を保持する光透過性の保持板材５１に継ぎ目５２があると、光源５３からの光線が継ぎ目５２部分で光斑を起こし、その継ぎ目５２部分に対応するポスター５０の表面側に透過光の影が生じる。また、ポスター５０の表面側では、カバーの役目をする保持板材５５に継ぎ目５６があるとポスター５０の画像を遮り、ポスター５０の美観を損ねると言う問題点がある。特に、前記影の発生は、せっかく背後から光を当ててポスター５０の美観を高めようとする機能を阻害して、いわゆる広告効果を低減させることになり好ましくない。したがって、大型の内部照明型表示装置としては、未だ満足できる装置が得られないという問題点がある。
【０００７】
本発明は、このような状況に鑑みてなされたものであって、光透過型表示シートを保持するために光源側に配置される保持部材を改良して透過光による光斑の発生を抑え、美観を得ることができる内部照明型表示装置における表示シートの保持構造を提供することを目的とするものである。
【課題を解決するための手段】
【０００８】
前記目的を達成するために、本発明による内部照明型表示装置における表示シートの保持構造は、
光透過型の表示シートの裏面側から光を受けて、その透過光により表示シートに描かれた図柄を明示する内部照明型表示装置において、光源と表示シートとの間に配置されて、光透過性材で前面を円弧面に形成された保持部材によって、その円弧面の頂部を緊張された前記表示シートの裏面に当接させて保持するようにされていることを特徴とするものである（第１発明）。
【０００９】
前記発明において、前記保持部材は、円弧の両端を直線で繋ぐ断面形状の管状構造に形成されていることを特徴とするものである（第２発明）。
【００１０】
また、前記第１発明において、前記保持部材は、円弧の両端を直線で繋ぐ断面形状の管状構造のものを複数密接状態で同一面上に並べて配置されているのがよい（第３発明）。
【００１１】
さらに、第４発明による内部照明型表示装置における表示シートの保持構造は、
光透過型の表示シートの裏面側から光を受けて、その透過光により表示シートに描かれた図柄を明示する内部照明型表示装置において、光源と表示シートとの間に、光透過性材で前面を円弧面に形成され管状の保持部材を複数所要ピッチで配置して、それら管状の保持部材間に、両端部を円弧状に彎曲させた中間保持部材を配し、その中間保持部材の両端を前記管状の保持部材の背後に繋ぎ、前記管状の保持部材と中間保持部材とを表示シートの裏面に当接させて緊張保持するように構成されていることを特徴とするものである。
【発明の効果】
【００１２】
第１発明によれば、表示シートが大型化しても光を分散させる保持部材を複数配列して継ぎ目で生じる光の斑を表示シート面で観察者に感じさせないようにすることができ、表示面を明示することができるという効果を奏する。
【００１３】
また、第２発明によれば、表示シートの保持に管状の保持部材を用いることで光透過度を損なわずに、軽量化を図ることができる。また、第３発明によれば、管状の保持部材を多数密接状態で同一面上で配列するようにして、光の斑の発生を抑え、表示シートを緊張保持させることができるので、表示面の大型化に対応できる。しかも表示装置の軽量化を容易にするという利点がある。
【００１４】
また、第４発明によれば、開放形状の中間保持部材と管状の保持部材とを組合わせることにより表示シートが大きくなっても合理的にその表示シートを緊張保持することができ、大型の表示装置を軽量化して合理的に構成することができるという効果を奏する。もちろん、光の斑の発生を抑制し、表示面を明示できる。
【発明を実施するための最良の形態】
【００１５】
次に、本発明による内部照明型表示装置における表示シートの保持構造の具体的な実施の形態について、図面を参照しつつ説明する。
【００１６】
図１には本発明の一実施形態に係る表示シートの保持構造を備える内部照明型表示装置の全体概要図（ａ）および平断面概要図（ｂ）が示されている。図２には本実施形態に係る表示シートの保持構造の基本的な構成を表わす模式図（ａ）と表示シート保持部材の姿図（ｂ）が示されている。図３には表示シート保持部材のテスト（１）の態様を表わす図が、図４には表示シート保持部材のテスト（２）の態様を表わす図が、図５には表示シート保持部材のテスト（３）の態様を表わす図が、図６には表示シート保持部材のテスト結果を総合して表わす図が、それぞれ示されている。
【００１７】
この実施形態における内部照明型表示装置１は、光透過性のポスターを緊張状態に取付け得る機能（例えば特許第３１６１９４５号公報参照）を備えた表示シート支持フレーム２と、複数の照明灯４（光源４）を配列して組込まれて構築物の壁面などに取付けられる構造の箱形をした灯具支持フレーム３とからなり、その灯具支持フレーム３の前面側に前記表示シート支持フレーム２が取付けられるようにされている。そして、前記表示シート支持フレーム２によって緊張状態に支持されたポスター５（表示シート）と前記光源（照明灯４）との間に、そのポスター５を背面側で支える保持部材１０が取付部材６を介して灯具支持フレーム３に取付けられて配置されている。なお、前記保持部材１０を支持する取付部材６は、ポスター５の照明に影響を与えない、例えば保持部材１０の上下両端部を支持するように設けられる。
【００１８】
前記ポスター５を背後で保持する保持部材１０としては、図２に示されるように、前面を円弧面１１にして背面側を平面１２に形成されて、円弧面１１の両側端と平面１２の両側端を繋いで管状に形成された部材であり、光透過性を有するプラスチック材にて成型されたものである。使用するプラスチック材としてはアクリル，ポリエステル，ポリカーボネートなどの光透過性のよい材料を適宜選択することができる。このような管状の保持部材１０は押し出し成型によって得られるので、その長さ寸法は自由に設定できる。
【００１９】
この管状の保持部材１０としては、円弧面１１における円弧の長さＣ、平面１２の長さＢおよび平面１２から円弧面１１の頂部間での高さＡの各寸法割合が、どのように設定するのが好ましいかテストを行った。まず、テストの条件として光源４からの光線がポスター５の面に直交してほぼ平均に照射されるようにし、そのポスター５の背面に、テスト用の管状の保持部材１０を、円弧面１１の頂端部が接するように配置し、ポスター５がどのような状況で明示されるかを確かめることにした。光源４はすべて一定の条件である。なお、保持部材１０は、いずれも同一の透明なプラスチック材で形成され、表面が平滑なものである。
【００２０】
（テスト１）
図３に示されるように、平面長さ：１１０ｍｍ
平面から円弧頂点までの高さ：４５ｍｍ
として前面が大きく彎曲した円弧面をもつ保持部材１０Ａ
この場合、ポスター５の表面には、保持部材１０Ａの中央線から２８ｍｍ離れた位置で１１ｍｍの幅にて帯状の影Ｓが現れた。
そして、保持部材１０Ａの中央線上でポスター５と保持部材円弧面１１との接触点を基準にして左右に４０°ずつの角度範囲で眺めたときは、前記帯状の影Ｓが認められなかった。言い換えると、ポスター５を中心位置から左右に４０°ずつの角度範囲内で見た場合は、帯状の影Ｓが見えないことになる。
【００２１】
（テスト２）
図４に示されるように、平面長さ：２７２ｍｍ
平面から円弧頂点までの高さ：３０ｍｍ
として前面が彎曲した円弧面をもつ保持部材１０Ｂ
この場合、ポスター５の表面には、保持部材１０Ｂの中央線から３８ｍｍ離れた位置で１４ｍｍの幅にて帯状の影Ｓが現れた。
そして、保持部材１０Ｂの中央線上でポスター５と保持部材円弧面１１との接触点を基準にして左右に５０°ずつの角度範囲で眺めたときは、前記帯状の影Ｓが認められなかった。言い換えると、ポスター５を中心位置から左右に５０°ずつの角度範囲内で見た場合は、帯状の影Ｓが見えないことになる。
【００２２】
（テスト３）
図５に示されるように、平面長さ：８４ｍｍ
平面から円弧頂点までの高さ：５５ｍｍ
として前面が大きく彎曲した円弧面をもつ保持部材１０Ｃ
この場合、ポスター５の表面には、保持部材１０Ｃの中央線から１６ｍｍ離れた位置で６ｍｍの幅にて帯状の影Ｓが現れた。
そして、保持部材１０Ｃの中央線上でポスター５と保持部材円弧面１１との接触点を基準にして左右に３０°の角度範囲で眺めたときは、前記帯状の影Ｓが認められなかった。言い換えると、ポスター５を中心位置から左右に３０°ずつの角度範囲内で見た場合は、帯状の影Ｓが見えないことになる。
【００２３】
前記テスト１〜３による結果から、管状の保持部材１０（１０Ａ〜１０Ｃ）は、高さ寸法Ａが比較的小さくて、その平面１２の長さＢと円弧面１１の長さＣとの割合が０．９８に近づく（割合が小さくなる）方向に設定するのが帯状の影Ｓを見ない視野を広げることになって好ましい。図６には平面の長さＢと円弧の長さＣとの割合によるポスター側から見たときの影を発生させない領域の角度が示されており、これらから平面の長さＢと円弧の長さＣとの割合を０．６以上にすると目的とする効果が得られることが判明した。なお、高さ寸法Ａについても２０ｍｍ以上とされるのがよい。高さ寸法Ａが２０ｍｍより小さくなると、図２に符号Ｄで表わす部分の材料の接合部による透過光の斑によるポスター面での影が顕著に現れるほか、構造上剛性も低下して保持機能が確保し難くなる。
【００２４】
したがって、例えば前記テスト２で用いられた形状の保持部材１０Ｂを採用し、この形状の保持部材１０を幅方向に側端縁同士が接触するようにして複数本配列して、上下で取付部材６により灯具支持フレーム３に支持させる構成とする。
【００２５】
このように構成される本実施形態の表示シートの保持構造によれば、幅方向に彎曲する円弧面１１を備えた管状の保持部材１０を複数本配列して、その保持部材１０の円弧頂点にてポスター５（表示シート）の背面を保持することにより、前記テスト結果により示されるように、ポスター５の前側で観察者にはポスター５を透過する光線による暗い帯状の影となって表れる部分が見えないようになり、全体的にポスター５を明示させることができる。このような表示効果は、保持部材１０が前面を円弧面１１に形成されるレンズ効果によるものであると推定される。したがって、実質的には帯状の暗い部分が生じても観察者には違和感を与えることはなく、明示できることになってポスター５の場合その広告効果を高め得るのである。併せて、この保持部材１０は管状に形成されているので剛性を高めて大きなポスター５であっても緊張状態に保持することができる。
【００２６】
また、この管状の保持部材１０は、プラスチックの押出し成型により製作できるので、長さ寸法は許容される範囲で自由に設定でき、配列する数も任意に設定できるので表示装置の表示面が大型化しても支障がない。さらに、管状の保持部材１０は、薄肉（例えば、０．５〜２ｍｍ）に仕上げることができるので軽量化でき、大型の表示装置であっても全体を軽量に仕上げることが可能になる。もちろん、製作コストを削減できると言う利点がある。
【００２７】
また、この保持部材１０は管状に形成されているので、照明装置（光源４）での発熱に対しても通気性が良好で内部に空気を流動させて熱を放散させ、当該部分に熱がこもることがなく、強度が低下するのを防止できる。
【００２８】
次に、図７には本発明の他の実施形態に係る内部照明型表示装置における表示シートの保持構造の要部を示す平断面図が示されている。なお、この実施形態においては、その基本構成が前記実施形態と同様であるので、異なる部分を除いて前記実施形態の構成と同一もしくは同様の構成部分には同一の符号を付して詳細な説明を省略している。
【００２９】
この実施形態における内部照明型表示装置１Ａは、全体構成において光透過性のポスター５を緊張状態に取付け得る機能（例えば特許第３１６１９４５号公報参照）を備えた表示シート支持フレームと、複数の照明灯４（光源４）を配列して組込まれて構築物の壁面などに取付けられる構造の箱形をした灯具支持フレームとは前記実施形態と同様（いずれも図示省略）であり、表示シートの保持構造において一部が異なる構成のものである。したがって、その要部の表示シートの保持構造についてのみ説明する。
【００３０】
この実施形態での表示シート保持構造は、前記実施形態において採用された管状の保持部材１０と、この管状の保持部材１０に両端部を連結して一連の保持体とする板材にてなる中間保持部材１５とで構成されている。
【００３１】
この実施形態における保持部材１０は、前述の管状の保持部材と同一もしくは同様の寸法構成のもので、透明もしくは半透明のプラスチック材にて成型されたものが採用される。
【００３２】
前記中間保持部材１５は、透明もしくは半透明の光透過性を有するプラスチック板材で、幅方向に両端部１５ａ，１５ａを円弧状に彎曲させて、その彎曲部端から適宜幅寸法の接続端部１５ｂを前記管状の保持部材１０の背面に重なり合わせて接続するようにされている。その両接続端部１５ｂ，１５ｂは円弧状の端部１５ａに連接する平面部を備えている。なお、前記接続端部１５ｂは、対象となるポスター５の寸法に応じて幅寸法が変更される。この中間保持部材１５における円弧状部分（端部１５ａ）の曲率は使用される管状の保持部材１０における円弧面１１とほぼ同様に形成されるのが好ましい。また、板厚は、剛性を維持するのに適した寸法であるのが好ましく、この中間保持部材１５の幅寸法が大きくなるほどに板厚の厚いものが使用される。例えば板厚ｔは０．５〜１０ｍｍの範囲で選択使用される。
【００３３】
また、前記中間保持部材１５における両接続端部１５ｂは、管状の保持部材１０の幅寸法に応じて左右に複数の中間保持部材１５が配置される場合、その両方の端が重なり合わないように設定される。そして、この両接続端部１５ｂは管状の保持部材１０における平面１２部に接着剤で接合して一体的に連結される。こうすることにより、中間保持部材１５はその幅方向両端部の円弧状部分に連なる接続端部１５ｂにより管状の保持部材１０との連結と、その連結部分付近での間隙を閉じて光透過による光斑の発生を抑止して、かつ自身の撓みの発生を抑えることができる。さらに、管状の保持部材１０を基準にしてこの中間保持部材１５が広範囲にわたってポスター５の背後を緊張状態に保持することができる。
【００３４】
ちなみに、この実施形態によれば、管状の保持部材１０の幅寸法Ｂは５０〜３００ｍｍ，中間保持部材１５の幅寸法Ｌは５０〜２３００ｍｍの範囲で採用できる。管状の保持部材１０の高さ寸法Ａについては、前記実施形態で説明したように２０ｍｍ以上の寸法のものを用いる。
【００３５】
この実施形態のように構成される表示シートの保持構造によれば、複数の管状の保持部材１０と中間保持部材１５とを組合わせることにより、表示面に光斑による帯状の暗い部分を観察者に印象付けることなく明示できる大型の表示シート（ポスター）を用いた内部照明型表示装置を容易に作成することができる。
【図面の簡単な説明】
【００３６】
【図１】本発明の一実施形態に係る表示シートの保持構造を備える内部照明型表示装置の全体概要図（ａ）および平断面概要図（ｂ）
【図２】本実施形態に係る表示シートの保持構造の基本的な構成を表わす模式図（ａ）と表示シート保持部材の姿図（ｂ）
【図３】表示シート保持部材のテスト（１）の態様を表わす図
【図４】表示シート保持部材のテスト（２）の態様を表わす図
【図５】表示シート保持部材のテスト（３）の態様を表わす図
【図６】表示シート保持部材のテスト結果を総合して表わす図
【図７】本発明の他の実施形態に係る内部照明型表示装置における表示シートの保持構造の要部を示す平断面図
【図８】従来の大型内部照明型表示装置における問題点を表わす模式図
【符号の説明】
【００３７】
１    内部照明型表示装置
２    灯具支持フレーム
３    表示シート支持フレーム
４    照明灯（光源）
５    ポスター（表示シート）
６    保持部材の取付部材
１０  管状の保持部材
１１  円弧面
１５  中間保持部材
１５ａ  中間保持部材の端部
１５ｂ  中間保持部材の接続端部
【図１】
2007047482.tif 000003
【図２】
2007047482.tif 000004
【図３】
2007047482.tif 000005
【図４】
2007047482.tif 000006
【図５】
2007047482.tif 000007
【図６】
2007047482.tif 000008
【図７】
2007047482.tif 000009
【図８】
2007047482.tif 000010